(57)【特許請求の範囲】
【請求項１】
瓦を桟木、下葺材及び野地板にわたって固定するための瓦固定用ねじ釘であって、
軸部と、該軸部の一端に大径に形成された頭部と、前記軸部の他端に先尖状に形成された先端部と、を備え、
前記軸部は、前記頭部の裏面直下から軸部中途部に向かって形成された螺旋状突条からなるねじ部と、ねじ部に続いて軸部中途部から先端部側に向かって形成された環状突条の群からなるリング部と、を有し、
前記リング部は、そのピッチが、前記下葺材の厚さよりも小さく形成されてなり、
前記軸部の一端に形成される前記頭部は、瓦の釘穴に挿通される軸部のねじ部が釘穴内を径方向に偏位してねじ部が釘穴内壁に接触した状態で、ねじ部中心から偏位距離の最も大きな釘穴内壁までの距離を半径とする仮想円形に対して、これよりも大きな半径の円形状頭部に形成されてなり、
前記軸部のねじ部は、瓦の釘穴内と、桟木の内部とにわたって位置する長さに形成され、前記軸部のリング部は、桟木の内部における下部から野地板を貫通する長さに形成され、
且つ、前記リング部はその外径がねじ部に続いて軸部中途部から先端部側に向かって縮径するテーパ状に形成されている瓦固定用ねじ釘。
【請求項２】
前記リング部のピッチは０．５ｍｍ以上１．９ｍｍ以下の範囲である請求項１に記載の瓦固定用ねじ釘。
【請求項３】
前記リング部のテーパ角は軸部中途部から先端部にかけて０．１０度以上０．３０度以下の範囲である請求項１又は２に記載の瓦固定用ねじ釘。
【請求項４】
前記リング部の環状突条の先端部側の傾斜突条面の傾斜角度が頭部側の傾斜突条面の傾斜角度よりも大きく形成されてなる請求項１〜３の何れかに記載の瓦固定用ねじ釘。
【発明の詳細な説明】
【技術分野】
【０００１】
本発明は、瓦を桟木、下葺材及び野地板にわたって固定するための瓦固定用ねじ釘に関する。
【背景技術】
【０００２】
従来、屋根葺きに使用される瓦は、上面から瓦に形成された釘穴を挿通して桟木、下葺材及び野地板の順に、ねじ釘を打ち込むことによって、桟木、下葺材及び野地板に固定されている。この種のねじ釘としては、ねじ釘が打ち込まれたときに、瓦の上面に係止される頭部と、瓦の釘穴に位置する円柱状のスムース部（ねじ無し部）と、桟木の内部に位置するねじ部と、下葺材及び野地板の内部に位置する抜け止め部と、を有するねじ釘が知られている（特許文献１参照）。
【先行技術文献】
【特許文献】
【０００３】
【特許文献１】特許第４８６１５７５号公報
【発明の概要】
【発明が解決しようとする課題】
【０００４】
しかしながら、前記従来のねじ釘では、スムース部（ねじ無し部）の長さが瓦の厚さと同一であり、ねじ部の長さが桟木の厚さと同一であり、リング部のピッチが下葺材の厚さよりも大きくなっているため、又、ねじ部一端に形成される頭部の構造に充分な配慮がなされていなかったため、ねじ釘を桟木、下葺材及び野地板に打ち込んだときに、頭部が瓦の上面に係止され、スムース部が瓦の釘穴を挿通し、ねじ部が桟木の内部を貫通し、リング部が下葺材及び野地板の内部を貫通して、瓦を固定しているが、台風等の大雨時において、瓦とこの上面に係止される頭部との間から雨水が浸入し、この雨水がねじ部の螺旋状の谷部を伝って桟木の内部を通過し、雨水がリング部と下葺材との間の僅かな隙間を伝って下葺材の内部を通過することによって、野地板に雨水が浸入する問題があった。
【０００５】
本発明は、上述の事情に鑑みて、瓦を桟木、下葺材及び野地板にわたって固定するための瓦固定用ねじ釘において、瓦の釘穴への雨水の浸入を可能なかぎり阻止すると共に、ねじ釘の引抜耐力を向上させ、野地板への雨水の浸入を確実に防止することができる瓦固定用ねじ釘を提供することを目的としている。
【課題を解決するための手段】
【０００６】
上記目的を達成するための手段を図面の参照符号を付して示せば、請求項１の発明に係る瓦固定用ねじ釘１は、図４に示すように、瓦１１を桟木１２、下葺材１３及び野地板１４にわたって固定するための瓦固定用ねじ釘であって、軸部３と、軸部３の一端に大径に形成された頭部２と、軸部３の他端に先尖状に形成された先端部４と、を備え、軸部３は、頭部２の裏面直下２ａから軸部中途部３ａに向かって形成された螺旋状突条５ａ１からなるねじ部５ａと、ねじ部５ａに続いて軸部中途部３ａから先端部４側に向かって形成された環状突条５ｂ１の群からなるリング部５ｂと、を有し、リング部５ｂのピッチＰ２（図３）が下葺材１３の厚さＴ３（図４）よりも小さく形成されてなり、
前記軸部の一端に形成される前記頭部２は、図５に示すように、瓦１１の釘穴１１ａに挿通される軸部３のねじ部５ａが釘穴１１ａ内を径方向に偏位して、ねじ部５ａの螺旋状突条５ａ１が釘穴内壁１１ａ１に接触した状態で、ねじ部中心５ａＧから偏位距離の最も大きな釘穴内壁１１ａ２までの距離を半径ｒ１とする仮想円形に対して、これよりも大きな半径ｒ２の円形状頭部２に形成されてなり、
前記軸部３のねじ部５ａは、図４に示すように、瓦１１の釘穴１１ａ内と、桟木１２の内部とにわたって位置する長さに形成され、前記軸部３のリング部５ｂは桟木１２の内部における下部から野地板１４を貫通する長さに形成され、
且つ、図１に示すように、前記リング部５ｂはその外径がねじ部５ａに続いて軸部中途部３ａ側から先端部４側に向かって縮径するテーパ状に形成された構成よりなる。
【０００７】
【０００８】
【０００９】
請求項２の発明は、上記請求項１に記載の瓦固定用ねじ釘１において、リング部５ｂのピッチＰ２（図３）は０．５ｍｍ以上１．９ｍｍ以下の範囲とした構成よりなる。
【００１０】
【００１１】
請求項３の発明は、上記請求項１又は２の瓦固定用ねじ釘１において、リング部５ｂのテーパ角ａ（図１）は軸部中途部３ａから先端部４にかけて０．１０度以上０．３０度以下の範囲とした構成よりなる。
【００１２】
請求項４の発明は、請求項１〜３の何れかに記載の瓦固定用ねじ釘１において、リング部５ｂの環状突条５ｂ１の先端部４側の傾斜突条面５ｂ２の傾斜角度ｄ（図３）が頭部２側の傾斜突条面５ｂ３の傾斜角度ｅよりも大きく形成された構成よりなる。
【発明の効果】
【００１３】
以下に、本発明の効果について、図面の参照符号を付して説明すると、本発明では、リング部５ｂのピッチＰ２（図３）が下葺材１３の厚さＴ３（図４）よりも小さいから、リング部５ｂを下葺材１３の内部に貫通させたとき、２つ以上の環状突条５ｂ１，５ｂ１が下葺材１３の内部に配置されることになるから、リング部５ｂと下葺材１３との接触面積がさらに増加する。したがって、リング部５ｂと下葺材１３との密着性、すなわちシール性をさらに向上させることができるから、野地板１４への雨水の浸入を確実に防止することができる。
【００１４】
又、本発明によれば、桟木１２、下葺材１３及び野地板１４にわたってねじ釘１を打ち込んだときに、ねじ部５ａが桟木１２の内部を螺旋状突条５ａ１に案内されて螺旋状に回転しながら進入し、打ち込み部分に螺旋状軌跡が形成される。したがって、ねじ釘１を桟木１２、下葺材１３及び野地板１４から引き抜く際に上記螺旋状突条５ａ１の抵抗を受けるため、引抜耐力を向上させることができ、瓦１１を桟木１２、下葺材１３及び野地板１４に強固に固定することができると共に、軸部３が先端部４側に形成され環状突条５ｂ１の群からなるリング部５ｂを有しているため、桟木１２、下葺材１３及び野地板１４にねじ釘１を打ち込んだときに、リング部５ｂが下葺材１３及び野地板１４の内部に進入する。したがって、ねじ釘１を桟木１２、下葺材１３及び野地板１４から引き抜くときに、リング部５ｂの環状突条５ｂ１の抵抗をも受けて、ねじ釘１の引抜耐力をさらに向上させることができる。
【００１５】
又、本発明によれば、図５に示すように、瓦１１の釘穴１１ａに挿通される軸部３のねじ部５ａが釘穴１１ａ内を径方向に偏位して、ねじ部５ａの螺旋状突条５ａ１が釘穴内壁１１ａ１に接触した状態で、ねじ部中心５ａＧから偏位距離の最も大きな釘穴内壁１１ａ２までの距離を半径ｒ１とする仮想円形に対して、これよりも大きな半径ｒ２の円形状頭部２が軸部３の一端に形成されてなるため、瓦１１の釘穴１１ａに挿通される軸部３のねじ部５ａが釘穴１１ａ内を径方向に大きく偏位しても、軸部３の一端に形成される頭部２は常に釘穴１１ａの開口端を閉塞しており、これがために釘穴１１ａ開口端から釘穴１１ａ内に雨水が浸入するのをできるだけ防止することができる。
【００１６】
又、本発明によれば、軸部３が、頭部２側に形成され螺旋状突条５ａ１からなるねじ部５ａと、先端部４側に形成され環状突条５ｂ１の群からなるリング部５ｂと、を有し、軸部３のねじ部５ａは、瓦１１の釘穴１１ａ内と、桟木１２の内部とにわたって位置する長さに形成され、リング部５ｂは桟木１２の一部、下葺材１３及び野地板１４の全部を貫通している。すなわち、ねじ部５ａは、桟木１２の内部のみを貫通し、下葺材１３及び野地板１４の内部を貫通していない。言い換えれば、ねじ部５ａは桟木１２の上側部分の内部を貫通し、リング部５ｂは、桟木１２の下側部分の内部と、下葺材１３の内部の全部と、野地板１４の内部の全部とを貫通している。すなわち、ねじ部５ａが下葺材１３及び野地板１４の内部を貫通していないから、ねじ釘１の頭部２と瓦１１との間の隙間から雨水が浸入したとしても、雨水がねじ部５ａの螺旋状突条５ａ１に案内され、その谷部５ａ２を伝って桟木１２の内部に浸入するが、ねじ部５ａに続くリング部５ｂは軸方向に隣接して設けられた多数の環状突条５ｂ１からなるため、雨水は環状突条５ｂ１に阻止されて環状突条５ｂ１間の谷部５ｂ４に浸入することがない。したがって、野地板１４への雨水の浸入を確実に防止することができる。さらに、この場合には、リング部５ｂは、桟木１２の一部と下葺材１３の内部の全部を貫通しているから、リング部５ｂと桟木１の一部および下葺材１３との接触面積の増加によって、リング部５ｂと桟木１の一部および下葺材１３との密着性、すなわちシール性を向上させることができる。したがって、雨水がねじ部５ａの谷部５ａ２を伝って桟木１２の内部を中途部まで通過したとしても、野地板１４への雨水の浸入を確実に防止することができる。
なお且つ、本発明によれば、その外径がリング部５ｂは頭部２側から先端部４側に向かって縮径するテーパ状、すなわち、その外径が頭部２側から先端部４側に向かって先細り形状に形成されているから、桟木１２、下葺材１３及び野地板１４にねじ釘１を打ち込んだときに、リング部５ｂが下葺材１３の内部に貫通孔が徐々に広がるように打ち込まれるから、リング部５ｂが下葺材１３の内部に隙間なく密着させてシール性を向上させ、野地板１４への雨水の浸入をより確実に防止することができる。
【００１７】
請求項２の発明によれば、リング部５ｂのピッチＰ２は０．５ｍｍ以上１．９ｍｍ以下の範囲であり、下葺材１３の厚さＴ３は、一般に、１．０ｍｍ以上４．０ｍｍ以下の範囲であり、リング部５ｂのピッチＰ２を下葺材１３の厚さＴ３よりも小さいから、リング部５ｂと下葺材１３との密着性、すなわちシール性をさらに向上させることができ、野地板１４への雨水の浸入をさらに確実に防止することができる。この場合に２つ以上の環状突条５ｂ１，５ｂ１が下葺材１３の内部に配置されることが好ましい。
【００１８】
【００１９】
請求項３の発明によれば、リング部５ｂのテーパ角ａ（図１）は軸部中途部３ａから先端部４にかけて０．１０度以上０．３０度以下の範囲からなり、０．１０度以下または反対に０．３０度以上であれば、リング部５ｂが打ち込まれる下葺材１３に対する密着度、すなわちシール性が不十分となり、０．１０度以上０．３０度以下の範囲が密着度、すなわちシール性が良好となり、桟木１２、下葺材１３及び野地板１４にねじ釘１を打ち込んだときに、野地板１４への雨水の浸入をさらに防止する効果があり、且つ、上記範囲内であれば、リング部５ｂのテーパ加工が容易に行なうことができ、量産に適する。
【００２０】
請求項４の発明によれば、図３に示すように、リング部５ｂの環状突条５ｂ１の先端部４側の傾斜突条面５ｂ２の傾斜角度ｄが頭部２側の傾斜突条面５ｂ３の傾斜角度ｅよりも大きく形成されてなるため、リング部５ｂを下葺材１３に打ち込む際にその先端部４側の傾斜突条面５ｂ２が下葺材１３に無理なく打ち込まれることになり、リング部５ｂと下葺材１３との間の密着性が良好となり、より有効にシール性を発揮することができる。
【図面の簡単な説明】
【００２１】
【図１】本発明の実施形態に係るねじ釘を例示する平面図である。
【図２】同ねじ釘のねじ部のＡ−Ｂ間を拡大して例示する平面図である。
【図３】同ねじ釘のリング部のＣ−Ｄ間を拡大して例示する平面図である。
【図４】同ねじ釘を瓦の上面から桟木、下葺材及び野地板に打ち込んだ状態を例示し、（ａ）は全体を例示する縦断側面図、（ｂ）はねじ部及びリング部のＥ部分を拡大して示す縦断側面図である。
【図５】本発明の実施形態に係るねじ釘が瓦に打ち込まれたときのねじ釘の頭部とこれに閉塞される瓦の釘穴とねじ部との関係を平面的に表した拡大図である。
【図６】従来技術のねじ釘が瓦に打ち込まれたときのねじ釘の頭部とこれに閉塞される瓦の釘穴とねじ部との関係を平面的に表した拡大図である。
【発明を実施するための形態】
【００２２】
以下に、本発明に係るねじ釘の実施形態について、図面を参照して具体的に説明する。
【００２３】
本発明に係るねじ釘１は、図４に示すように、瓦１１を桟木１２、下葺材１３及び野地板１４に固定するための瓦固定用のねじ釘である。瓦１１は、陶器製の板状部材であって、ねじ釘１が挿通される釘穴１１ａが形成されており、瓦１１の厚さＴ１は、一般に、１０ｍｍ以上２０ｍｍ以下の範囲であって、本実施形態では、１０ｍｍである。桟木１２は、米松からなる角材であって、桟木１２の厚さＴ２は、一般に、２０ｍｍ以上３０ｍｍ以下の範囲であって、本実施形態では、２７ｍｍである。下葺材１３は、ゴムアスファルトルーフィングからなる防水シートであって、下葺材１３の厚さＴ３は、一般に、１．０ｍｍ以上４．０ｍｍ以下の範囲であって、本実施形態では、２ｍｍである。野地板１４は、杉からなる構造用合板等の屋根下地材であって、野地板１４の厚さＴ４は、一般に、１０ｍｍ以上３０ｍｍ以下の範囲であって、本実施形態では、１３ｍｍである。本実施形態では、野地板１４の上面に下葺材１３を敷設固定し、下葺材１３の上面に屋根の流れ方向に所定の間隔をあけて桟木１２を配置固定し、桟木１２の上面に瓦１１を敷設した状態で、瓦１１の上面に頭部２を係止させ、瓦１１の釘穴１１ａを挿通して桟木１２、下葺材１３及び野地板１４にねじ釘１を打ち込むことによって、瓦１１を桟木１２、下葺材１３及び野地板１４に固定している。
【００２４】
ねじ釘１は、図１に示すように、軸部３と、軸部３の一端に大径に形成された頭部２と、軸部３の他端に先尖状に形成された先端部４と、を備えている。頭部２、軸部３及び先端部４は、ＳＵＳ３０４等のステンレス合金により一体的に形成されている。
【００２５】
頭部２は、図１及び図４に示すように、円板形状（一般に、平頭形状）であって、瓦１１の上面からねじ釘１を打ち込むときにハンマー等で打撃するための部位であって、ねじ釘１を打ち込んだときに瓦１１の上面に係止される部位である。
【００２６】
本発明は、この頭部２の構造に一つの特徴を有するので、図５によって詳述する。図５は、ねじ釘１が瓦に打ち込まれたときのねじ釘１の頭部２とこれに閉塞される瓦１１の釘穴１１ａとねじ釘１のねじ部５ａとの関係を平面的に表した拡大図である。
【００２７】
同様に、図６は、従来技術のねじ釘が瓦に打ち込まれたときのねじ釘の頭部とこれに閉塞される瓦の釘穴とねじ部との関係を平面的に表した拡大図である。先ず従来技術について説明すると、ねじ釘が瓦１１の釘穴１１ａから桟木１２、下葺材１３及び野地板１４に打ち込まれたときに、ねじ釘の軸部２０が瓦１１の釘穴１１ａの平面視中心部に位置した状態に打ち込まれるのが好ましいが、実際には、軸部２０は釘穴１１ａの中心部から外れ、釘穴１１ａの内壁１１ａ１側に径方向に偏位して、この偏位内壁１１ａ１に接触した状態で打ち込まれる場合がある。この軸部２０が釘穴１１ａ内で径方向に偏位すると軸部２０の一端に形成されている頭部２１も瓦１１の釘穴１１ａの上面から径方向に偏位して、頭部２１が釘穴１１ａの上面開口部１１ａ３から離脱して、図６に示すように、該上面開口部１１ａ３の一部に頭部２で閉塞されない部分Ｐが発生し、この開口部分Ｐより雨水が釘穴１１ａ内に浸入することになる。従来では、頭部２で瓦１１の釘穴１１ａの上面開口部１１ａ３を閉塞するという配慮はなく、該開口部分Ｐより雨水が釘穴１１ａ内に浸入することはやむを得ない、釘穴１１ａ内に浸入した雨水は下葺材１３や野地板１４部分で遮断すればよいという思想であった。
【００２８】
これに対し、本発明は、できるだけ雨水が瓦１１の釘穴１１ａ内へ浸入するのを阻止するという思想に基づくことを特徴とし、本発明では、頭部２の構成を次のようにした。すなわち、瓦１１の釘穴１１ａに挿通される軸部３のねじ部５ａが釘穴１１ａ内を径方向に偏位して、ねじ部５ａの螺旋状突条５ａ１が釘穴内壁１１ａ１に接触したときに、ねじ部中心５ａＧから偏位距離の最も大きなねじ部内壁１１ａ２までの距離を半径ｒ１とする仮想円形に対して、これよりも大きな半径ｒ２の円形状頭部２が軸部３の一端に形成されてなるものとした。これによって、瓦１１の釘穴１１ａに挿通される軸部３のねじ部５ａが釘穴１１ａ内を径方向に大きく偏位しても、軸部３の一端に形成される頭部２は常に釘穴１１ａの開口端を閉塞しており、これがために釘穴１１ａ開口端から釘穴１１ａ内に雨水が浸入するのを確実に防止することができるようにしたものである。一例として、瓦１１の釘穴１１ａの内径を５ｍｍとし、ねじ釘１のねじ部５ａの外径を２．９ｍｍとした場合に、外径が７．５ｍｍの頭部２を軸部３の一端部に形成することによって、軸部３のねじ部５ａが釘穴１１ａ内を径方向に最大偏位しても頭部２と瓦１１の釘穴１１ａとの間に隙間が発生することがなく、雨水の浸入を可能なかぎり阻止することができる。
【００２９】
この場合、従来技術にあっては、瓦１１の釘穴１１ａに位置する軸部３のスムース部（ねじ無し部）は桟木１２等の内部に位置する軸部３のねじ部に比べて外径が小径となっているため、それだけ釘穴１１ａ内での偏位量が多く、それにつれて頭部２１の偏位量も多いから、この面からも頭部２１は釘穴１１ａの上面開口部から大きく離脱して開口部分Ｐが大きく表れる傾向にあった。
【００３０】
しかるに、本発明では、瓦１１の釘穴１１ａに位置する軸部３のねじ部５ａは桟木１２等の内部に位置する軸部３のねじ部５ａと同径であり、従来技術のスムース部（ねじ無し部）に比べて径大に形成されているから、その分だけ軸部３の釘穴１１ａ内での偏位量が少ないから、それにつれて頭部２の偏位量も少なく釘穴１１ａの上面開口部１１ａ３から離脱することがなく、雨水の浸入を阻止することができる。
【００３１】
軸部３は、図４に示すように、頭部２の裏面側に直結し隣接して形成され螺旋状突条５ａ１からなるねじ部５ａと、ねじ部５ａと先端部４との間に形成され環状突条５ｂ１の群からなるリング部５ｂと、を有している。
【００３２】
ねじ部５ａは、図４に示すように、瓦１１の上面から桟木１２、下葺材１３及び野地板１４にねじ釘１を打ち込んだとき、該ねじ部５ａの螺旋状突条５ａ１は瓦１１及び桟木１２の内部に位置する。ねじ部５ａの螺旋状突条５ａ１は多条ねじであって、本実施形態では、４条ねじである。ねじ部５ａのピッチＰ１（図２）は１．４５ｍｍであり、ねじ部５ａのリード角は４５度であり、ねじ部５ａのねじ山の角度ｃは６０度である。また、ねじ部５ａの外径Ｄ２（図１）は２．９ｍｍである。また、ねじ部５ａの長さＬ１（図４）は３３ｍｍで、瓦１１の厚さＴ１よりも大きく、瓦１１の厚さＴ１と桟木１２の厚さＴ２との合計長さよりも小さくなっている。このため、ねじ部５ａは、瓦１１の釘穴１１ａに挿通され、桟木１２の内部のみ位置し、下葺材１３及び野地板１４の内部を貫通しないようになっている。
【００３３】
リング部５ｂは、図４に示すように、瓦１１の上面から桟木１２、下葺材１３及び野地板１４にねじ釘１を打ち込んだとき、桟木１２の下側部分の内部と、下葺材１３及び野地板１４の内部とにリング部５ｂの環状突条５ｂ１が位置する。リング部５ｂの環状突条５ｂ１は、図３に示すように、軸方向に等配された円柱状の平坦状谷部５ｂ４の間に設けられた軸方向断面が山形の突起であって、該環状突条５ｂ１の先端部側の傾斜突条面５ｂ２の傾斜角度ｄが頭部側の傾斜突条面５ｂ３の傾斜角度ｅよりも大きく形成されている。この実施例では、先端部側の傾斜突条面５ｂ２の傾斜角度ｄは６０度であり、頭部側の傾斜突条面５ｂ３の傾斜角度ｅは３０度である。すなわち、環状突条５ｂ１の先端部側の傾斜突条面５ｂ２の傾斜角度ｄが頭部側の傾斜突条面５ｂ３の傾斜角度ｅよりも大きく形成されているため、リング部５ｂを下葺材１３の内部に打ち込んだ時に生成される貫通孔の内径がリング部５ｂの外径よりも大きくなることがなく、リング部５ｂが下葺材１３の内部に隙間なく密着してシール性を良好に維持し、野地板１４への雨水の浸入をより確実に防止することができる。また、リング部５ｂのピッチＰ２（図３）は、０．８ｍｍであって、下葺材１３の厚さＴ３（２ｍｍ）よりも小さくなっている。このため、図４（ｂ）に示すように、リング部５ｂを下葺材１３の内部に貫通させたとき、２つの環状突条５ｂ１，５ｂ１が下葺材１３の内部に配置されることになるから、リング部５ｂと下葺材１３との接触面積がさらに増加する。これにより、リング部５ｂと下葺材１３との密着性、すなわちシール性をさらに向上させることができるから、野地板１４への雨水の浸入を確実に防止することができる。
【００３４】
リング部５ｂの外径は、図１から目視で判別することはできないが、その頭部２側から先端部４側に向かって縮径するテーパ角度ａ、すなわち、頭部２側、正確には軸部の長手方向中程３ａから先端部４側に向かって微小な先細り形状に形成されている。リング部５ｂの頭部２側の最大外径Ｄ３（図１）は、２．７５ｍｍであり、リング部５ｂの先端部４側の最小外径Ｄ４は、２．６４ｍｍで、リング部５ｂの長さＬ２（図４）は、２６．４ｍｍである。したがって、リング部５ｂのテーパ角ａは、０．１２度である。
【００３５】
また、本実施形態では、ねじ部５ａは、螺旋状突条５ａ１のみからなり、前記特許文献所載の従来の発明のように、螺旋状突条５ａ１上に環状の溝部等が形成されていない。本実施形態では、螺旋状突条上に環状の溝部が形成されたねじ部を有する従来のねじ釘に比して、ねじ部５ａの桟木１２に対する締結力を強固にすることができるから、ねじ釘１を桟木１２、下葺材１３及び野地板１４から引き抜く際の引抜耐力を向上させることができる。
【００３６】
先端部４は、四角錐形状（一般に、角先形状）の部位であって、図４に示すように、瓦１１の上面から桟木１２、下葺材１３及び野地板１４にねじ釘１を打ち込んだとき、野地板１４の下面側に突出する部位である。先端部４の長さＬ３は、５．６ｍｍである。先端部４の先尖角ｂは、図１に示すように、２５度であって、先端部４の先尖角ｂを従来の先端部の先尖角（例えば、３５度）よりも小さくすることができるから、桟木１２、下葺材１３及び野地板１４にねじ釘１を打ち込みやすくなる。
【００３７】
しかして、本発明によれば、上述した実施形態から示唆されるように、軸部３が頭部２側に形成され螺旋状突条５ａ１からなるねじ部５ａを有しているため、桟木１２、下葺材１３及び野地板１４にねじ釘１を打ち込んだときに、ねじ部５ａが桟木１２の内部を螺旋状に回転しながら進入し、打ち込み部分に螺旋状突起が形成され、ねじ釘１を桟木１２、下葺材１３及び野地板１４から引き抜く際に打ち込み部分の螺旋状突起の抵抗によって引抜耐力を向上させることができ、瓦１１を桟木１２、下葺材１３及び野地板１４に強固に固定することができる。さらに、本発明によれば、軸部３が先端部４側に形成され環状突条５ｂ１の群からなるリング部５ｂを有しているため、桟木１２、下葺材１３及び野地板１４にねじ釘１を打ち込んだときに、リング部５ｂが下葺材１３及び野地板１４の内部に進入する。したがって、ねじ釘１を桟木１２、下葺材１３及び野地板１４から引き抜くときに、リング部５ｂの環状突条５ｂ１の抵抗を受け、ねじ釘１の引抜耐力をさらに向上させることができる。
【００３８】
さらに、本発明によれば、軸部３が、頭部２側に形成され螺旋状突条５ａ１からなるねじ部５ａと、先端部４側に形成され環状突条５ｂ１の群からなるリング部５ｂと、を有し、軸部３のねじ部５ａは、瓦１１の釘穴１１ａ内と、桟木１２の内部とにわたって位置する長さに形成されてなるから、桟木１２、下葺材１３及び野地板１４にねじ釘１を打ち込んだときに、ねじ部５ａは桟木１２の内部を貫通し、リング部５ｂは下葺材１３及び野地板１４の内部を貫通している。すなわち、ねじ部５ａは、桟木１２の内部のみを貫通し、下葺材１３及び野地板１４の内部を貫通していない。この場合には、ねじ部５ａが下葺材１３及び野地板１４の内部を貫通していないから、ねじ釘１の頭部２と瓦１１との間の隙間から雨水が浸入したとしても、雨水はねじ部５ａの螺旋状の谷部５ａ２を伝って桟木１２の内部に浸入するが、ねじ部５ａに続くリング部５ｂは軸方向に隣接して設けられた多数の環状突条５ｂ１からなるため、雨水は環状突条５ｂ１に阻止されて環状突条５ｂ１間の谷部５ｂ４に浸入することがないから、雨水が下葺材１３及び野地板１４の内部に浸入することがない。したがって、野地板１４への雨水の浸入を確実に防止することができる。さらに、リング部５ｂは、下葺材１３の内部の全部を貫通しているから、リング部５ｂと下葺材１３との接触面積の増加によって、リング部５ｂと下葺材１３との密着性、すなわちシール性を向上させることができる。したがって、雨水がねじ部５ａの谷部５ａ２を伝って桟木１２の内部をその中途部まで通過したとしても、野地板１４への雨水の浸入を確実に防止することができる。
【００３９】
又、本発明によれば、リング部５ｂのピッチＰ２が下葺材１３の厚さＴ３よりも小さいから、リング部５ｂを下葺材１３の内部に貫通させたとき、２つ以上の環状突条５ｂ１，５ｂ１が下葺材１３の内部に配置されることになるから、リング部５ｂと下葺材１３との接触面積がさらに増加する。したがって、リング部５ｂと下葺材１３との密着性、すなわちシール性をさらに向上させることができるから、野地板１４への雨水の浸入を確実に防止することができる。
【符号の説明】
【００４０】
１      ねじ釘
２      頭部
２ａ    頭部の裏面直下
３      軸部
３ａ    軸部中途部
４      先端部
５ａ    ねじ部
５ａ１  螺旋状突条
５ａ２  谷部
５ａＧ  ねじ部中心
５ｂ    リング部
５ｂ１  環状突条
５ｂ２  先端部側の傾斜突条面
５ｂ３  頭部側の傾斜突条面
５ｂ４  谷部
１１    瓦
１１ａ  釘穴
１１ａ１  釘穴内壁
１１ａ２  釘穴内壁
１１ａ３  上面開口部
１２    桟木
１３    下葺材
１４    野地板
ａ      リング部のテーパ角
ｂ      先端部の先尖角
ｃ      ねじ部のねじ山の角度
ｄ      先端部側の傾斜突条面の傾斜角
ｅ      頭部側の傾斜突条面の傾斜角
ｒ１    ねじ部中心から偏位距離の最も大きな釘穴内壁までの距離
ｒ２    ｒ１よりも大きな距離
Ｄ１    頭部の外径
Ｄ２    ねじ部の外径
Ｄ３    リング部の最大外径
Ｄ４    リング部の最小外径
Ｌ１    ねじ部の長さ
Ｌ２    リング部の長さ
Ｌ３    先端部の長さ
Ｐ      開口部分
Ｐ１    ねじ部のピッチ
Ｐ２    リング部のピッチ
Ｔ１    瓦の厚さ
Ｔ２    桟木の厚さ
Ｔ３    下葺材の厚さ
Ｔ４    野地板の厚さ
【図１】
0006699997.tif 000002
【図２】
0006699997.tif 000003
【図３】
0006699997.tif 000004
【図４】
0006699997.tif 000005
【図５】
0006699997.tif 000006
【図６】
0006699997.tif 000007